(57)【要約】【課題】  口紅等を使用する際にパターンの変化を楽しむことができる棒状化粧料用収納容器を得ること。【解決手段】  ハカマ部材と、該ハカマ部材に回転可能に挿入されるスリーブと、該スリーブに挿入され、棒状化粧料を保持するとともに前記スリーブを回転させることによって上下移動する皿部材を備える棒状化粧料収納容器であって、前記ハカマ部材には、少なくとも１つの透視部を備え、前記スリーブの外周部に、前記透視部に整合するように複数のパターンを設け、前記スリーブを回転させると前記透視部に異なるパターンが選択的に表示されること特徴とする。【選択図】  図１
2018175694.tif 000002
【特許請求の範囲】
【請求項１】
ハカマ部材と、該ハカマ部材に回転可能に挿入されるスリーブと、該スリーブに挿入され、棒状化粧料を保持するとともに前記スリーブを回転させることによって上下移動する皿部材を備える棒状化粧料収納容器であって、前記ハカマ部材には、少なくとも１つの透視部を備え、前記スリーブの外周部に、前記透視部に整合可能な複数のパターンを設け、前記スリーブを回転させると前記透視部に異なるパターンが選択的に表示されること特徴とする棒状化粧料収納容器。
【請求項２】
前記透視部は前記ハカマ部材の周胴部に上下方向に２つ以上設けられており、該２つ以上の透視部には、それぞれ異なる種類のパターンが表示されることを特徴とする請求項１に記載の棒状化粧料収納容器。
【請求項３】
前記パターンは文字、図柄、記号若しくは色彩又はこれらの結合のいずれかであることを特徴とする請求項１又は請求項２に記載の棒状化粧料収納容器。
【発明の詳細な説明】
【技術分野】
【０００１】
本発明は、口紅等の棒状化粧料を保持する棒状化粧料収納容器に関する。
【背景技術】
【０００２】
従来、棒状化粧料収納容器にパターン等の装飾を用いるものとしては、「筒部材内に収納された口紅等を該筒部材の下部に回動可能に取付けられた嵌合部材との回動によって該筒部材の上端部より出没させることができる口紅等の収納容器本体と、この口紅等の収納容器本体の下端部が挿入され、前記嵌合部が固定される紙管を用いたハカマ部材と、このハカマ部材の上端部に設けられた紙管製のキャップ嵌合部と、このキャップ嵌合部と着脱可能に嵌合する前記口紅等の収納容器本体の上部を覆う紙管を用いたキャップとを備えることを特徴とする口紅等の収納容器。」等が知られている（特許文献１）。
しかしながら、上記特許文献１に記載されている公知発明は、単にハカマ部材等を紙製とし、模様等を楽に入れられるだけのものであり、パターンの変化を楽しめるというものではなかった。
【先行技術文献】
【特許文献】
【０００３】
【特許文献１】特開平９−３７８４５号公報
【発明の概要】
【発明が解決しようとする課題】
【０００４】
本発明は以上のような従来の欠点に鑑み、口紅等を使用する際にパターンの変化を楽しむことができる棒状化粧料用収納容器を得ることを目的としている。
【課題を解決するための手段】
【０００５】
上記目的を達成するために、本発明の棒状化粧料収納容器は、  ハカマ部材と、該ハカマ部材に回転可能に挿入されるスリーブと、該スリーブに挿入され、棒状化粧料を保持するとともに前記スリーブを回転させることによって上下移動する皿部材を備える棒状化粧料収納容器であって、前記ハカマ部材には、少なくとも１つの透視部を備え、前記スリーブの外周部に、前記透視部に整合するように複数のパターンを設け、前記スリーブを回転させると前記透視部に異なるパターンが選択的に表示されること特徴とする。
【発明の効果】
【０００６】
以上の説明から明らかなように、本発明にあっては次に列挙する効果が得られる。
（１）請求項１に記載の発明においては、ハカマ部材には少なくとも１つの透視部を備え、前記スリーブの外周の前記透視部に対応する部位に複数のパターンが設けられているので、スリーブを回転させた際に、このスリーブに設けられた複数のパターンが透視部を介して表面に次々に表示される。
したがって、パターンが変化し、その変化を楽しむことができる。
（２）また、口紅等を使用した際に透視部に表示されていたパターンに合わせて口紅等を突出させることにより、前回使用した時と口紅等の突出量を略同じにした状態で使用することができる。
（３）請求項２及び請求項３に記載された各発明も前記（１）、（２）と同様な効果が得られる。
【図面の簡単な説明】
【０００７】
図１乃至図６は本発明の第１の実施形態を示す説明図である。
図７乃至図９は本発明の第２の実施形態を示す説明図である。
【図１】第１実施形態の棒状化粧料収納容器の縦断面図。
【図２】キャップを外した状態の棒状化粧料収納容器の斜視説明図。
【図３】ハカマ部材の斜視説明図。
【図４】ハカマ部材の分解斜視図。
【図５】スリーブの斜視説明図。
【図６】スリーブを回転させた場合の斜視説明図。
【図７】第２実施形態の棒状化粧料収納容器の縦断面図。
【図８】ハカマ部材の説明図。
【図９】スリーブの説明図。
【発明を実施するための形態】
【０００８】
以下、図面に示す本発明を実施するための形態により、本発明を詳細に説明する。
図１ないし図６に示す本発明を実施するための第１の形態において、１は本発明の口紅等の棒状化粧料２を収納する棒状化粧料収納容器（以下、「収納容器」という）である。
この収納容器１は、例えば上部外周部にキャップ嵌合部３が形成されたあるいは設けられたハカマ部材４と、このハカマ部材４内に挿入固定され、その内壁面に一対の螺旋溝５が形成された螺旋部材６と、この螺旋部材６内に回転可能に取付けられる縦長状のスリーブ７と、このスリーブ７の下部に軸心方向に形成された一対の長い垂直溝８と、スリーブ７内に上下移動可能に取付けられていると共に、固形化した口紅等の棒状化粧料２を支持する皿部材９と、この皿部材９の下部側の外周壁に形成され、かつスリーブ７の前記垂直溝８及び螺旋部材６の前記螺旋溝５に同時に係合する単数又は複数個の係合片１０と、前記キャップ嵌合部３と着脱可能に嵌合すると共に、スリーブ７の上部を覆うキャップ１１とで構成されている。
【０００９】
まず収納容器１は、ハカマ部材４とスリーブ７の上部とを手で持って回動させることにより、皿部材９の一対の係合片１０がスリーブ７の一対の垂直溝８と螺旋部材６の一対の螺旋溝５によって上下移動して、スリーブ７の上部より棒状化粧料２を出没させて使用することができる。
【００１０】
例えば図３及び図４に示すように、ハカマ部材４は、底面を有する略円筒形状のハカマ本体１２と、このハカマ本体１２の開口部１３から挿入され、内周面に嵌合状態で取り付けられるとともに、ハカマ本体の開口端部１２ａに当接するフランジ部１４を有し、ハカマ本体１２の上面よりも上方に突出する略円筒形状の嵌合部材１５とで構成されている。また、本実施形態においては、この嵌合部材１５のフランジ部１４よりも上の部分がキャップ嵌合部３となり、このキャップ嵌合部３と嵌合するキャップ１１の内周面には、嵌合片１６が形成されている（図１参照）。なお、この嵌合片１６は嵌合部材１５のキャップ嵌合部３に形成してもよい。また、この嵌合部材１５の内側には螺旋部材６が固定的に設けられている。
【００１１】
ハカマ部材４の周胴部には本実施形態では上下方向に合計２箇所の透視部１７が設けられている。この透視部１７はハカマ本体１２に形成された透視部１７と、嵌合部材１５の上下２箇所に形成された透視部１７とで構成されている。嵌合部材１５の下方の透視部１７は、ハカマ本体１３に嵌合部材１５を固定した際に、ハカマ本体１３の透視部１７と同じ位置になるように設けられる。
【００１２】
本実施形態においては、この透視部１７はハカマ部材４を窓状に部材を切り抜いて形成されており、透視部１７の形状は丸型、多角形型のいずれであってもよい。
また、本実施形態においては、透視部１７は上下異なる方向に形成されているが、垂直方向の同一線上に形成してもよい。
【００１３】
スリーブ７は、上部が斜めに切り欠かれた略円筒形状の部材で、その略中央部にリング状係止部分７ａが外方に突出するように形成されており、その表面には上下方向に間隔を有して２箇所、かつ、それぞれ円周方向に複数個のパターン１８が描かれている。このパターン１８が描かれる場所は、スリーブ７をハカマ部材４に取り付けた際に、透視部１７に整合するような（透視部１７からパターン１８がそれぞれ見える位置）位置である。
ここで、パターン１８とは、文字、図柄、記号若しくは色彩又はこれらの結合のいずれかをいうものである。
【００１４】
本実施形態では上方の透視部１７に整合する位置に設けられたパターン１８と、下方の透視部１７に整合可能な位置に設けられたパターン１８は異なる種類となるように設けられている。
【００１５】
すなわち、一方（上方）のパターン１８は、例えば本実施形態においては、顔文字のような絵柄が描かれており、円周方向に表情の異なる絵柄が複数設けられている。
他方（下方）のパターン１８は、例えば本実施形態においては、アルファベットが書かれており、円周方向に「Ａ」、「Ｂ」、「Ｃ」・・・のように異なるアルファベットが書かれている。
【００１６】
このように上方のパターン１８は図柄であり、下方のパターン１８は文字であり、異なる種類のパターン１８となっているが、上下のパターン１８を同種のもの（例えば上下両方共に図柄等）としてもよい。
【００１７】
これらのパターン１８は、本実施形態においてはスリーブに印刷しているが、例えば、パターンが描かれたシール等を貼る、パターンが描かれた部品等をスリーブに固定する等の方法で設けてもよい。
【００１８】
このようなパターン１８をスリーブ７に備えることにより、口紅等を突出させる際に、ハカマ部材４を持ってスリーブ７を回転させると、透視部に異なるパターンが選択的に表示されるので、透視部１７に表示されるパターン１８がスリーブ７の回転角度によって変化し、その変化を楽しむことができる。
【００１９】
また、前回使用した時に透視部１７に表示されたパターン１８と同じパターン１８が表示されるようにスリーブ７を回転させることにより、前回使用した時と口紅等の突出量を略同じにした状態で使用することができる。
【００２０】
[発明を実施するための異なる形態]
次に、図７乃至図９に示す本発明を実施するための異なる形態につき説明する。なお、これらの本発明を実施するための異なる形態の説明に当って、前記本発明を実施するための第１の形態と同一構成部分には同一符号を付して重複する説明を省略する。
【００２１】
図７乃至図９に示す本発明を実施するための第２の形態において、前記本発明を実施するための第１の形態と主に異なる点は、ハカマ本体と嵌合部材を一体的に形成したハカマ部材４Ａとし、ネジ棒１９を備える皿部材９Ａと、螺旋溝の代わりに前記ネジ棒１９と螺合するネジ孔２０を有する螺旋部材６Ａと、スリーブ７Ａの内面に形成された垂直溝８Ａと、皿部材９Ａの側面に前記垂直溝８Ａと係合する単数又は複数個の係合片１０Ａを用いて皿部材９Ａを上下移動させる点で、このような収納容器１Ａにしても、前記本発明を実施するための第１の形態の収納容器と同様な作用効果が得られる。
【００２２】
なお、本発明の実施形態では螺旋部材と係合片を用いて皿部材を上下移動させるもの等について説明したが、スリーブを回転させて皿部材を上下移動させる機構であれば、公知のいかなる機構を用いてもよい。
【００２３】
また、透視部はハカマ部材を窓状にくり抜いて形成したものについて説明したが、例えば透視部の部分のみ透明として、スリーブ表面を視認できるように形成してもよく、パターン及び透視部についても上下方向に１箇所設けてもよいし、３箇所以上設けてもよい。そして、ハカマ部材全体を透明材で形成し、透視部に相当する箇所以外を印刷等の手法によって不透明なインクあるいはホットスタンプ箔等で覆うことにより透視部を形成してもよい。
【００２４】
本発明の実施形態においては、パターンとして顔文字のような絵柄やアルファベットを用いたが、透視部から表示される文字、記号、図形又は色彩等が変化するようにあらわれるものであればどのようなものでもよく、例えばスリーブの円周方向に色彩をグラデーションで描く、異なる記号等をスリーブの円周方向に書く等であってもよい。
【産業上の利用可能性】
【００２５】
本発明の棒状化粧料収納容器は、口紅、リップクリーム、スチックアイシャドウ、スチックチーク、スチックファンデーション、コンシーラー、日焼け止め化粧料、アイクリーム、整髪料等の固形化した棒状化粧料を収納する容器を製造する分野や化粧料分野の産業で利用される。
【符号の説明】
【００２６】
１、１Ａ：棒状化粧料収納容器、    ２：棒状化粧料、
３：キャップ嵌合部、              ４、４Ａ：ハカマ部材、
５：螺旋溝、                      ６、６Ａ：螺旋部材、
７、７Ａ：スリーブ、              ８、８Ａ：垂直溝、
９、９Ａ：皿部材、                １０、１０Ａ：係合片、
１１：キャップ、                  １２：ハカマ本体、
１３：開口部、                    １４：フランジ部、
１５：嵌合部材、                  １６：嵌合片、
１７：透視部、                    １８：パターン、
１９：ネジ棒、                    ２０：ネジ孔。
【図１】
2018175694.tif 000003
【図２】
2018175694.tif 000004
【図３】
2018175694.tif 000005
【図４】
2018175694.tif 000006
【図５】
2018175694.tif 000007
【図６】
2018175694.tif 000008
【図７】
2018175694.tif 000009
【図８】
2018175694.tif 000010
【図９】
2018175694.tif 000011